(57)【特許請求の範囲】
【請求項１】
子局装置と光通信路により接続され、前記子局装置と第１のプロトコルにより通信を行い、上位ネットワークに接続される親局装置であって、
前記第１のプロトコルに基づいて前記子局装置の状態を示す情報を取得する第１のプロトコル制御部と、
前記第１のプロトコル制御部から前記子局装置の状態を示す情報を取得し、子局装置ごとの状態を状態情報として保持する状態管理部と、
前記第１のプロトコルと異なる第２のプロトコルに基づいて前記上位ネットワークとの間の通信を行う第２のプロトコル制御部と、
前記状態情報に基づいて前記子局装置に前記第２のプロトコルにおける監視ポイントが設定された場合と同等の応答を行う代理ポイントの設定を前記第２のプロトコル制御部に対して実施するプロトコル変換部と、
を備えることを特徴とする親局装置。
【請求項２】
前記子局装置が複数の下位側のインタフェースを備える場合に、前記下位側のインタフェースごとに代理ポイントを設定することを特徴とする請求項１に記載の親局装置。
【請求項３】
前記子局装置が複数の下位側のインタフェースを備える場合に、同一の前記子局装置内の前記下位側のインタフェースに対応する監視ポイントを１つのグループとし、グループごとに代理ポイントを設定することを特徴とする請求項１に記載の親局装置。
【請求項４】
前記第１のプロトコルに基づいて前記子局装置ごとに当該子局装置が前記第２のプロトコルに対応しているか否かを判定し、前記第２のプロトコルに対応していないと判定された前記子局装置について前記代理ポイントを設定することを特徴とする請求項１または２に記載の親局装置。
【請求項５】
子局装置と光通信路により接続され、前記子局装置と第１のプロトコルにより通信を行い、上位ネットワークに接続される親局装置における制御装置であって、
前記第１のプロトコルに基づいて前記子局装置の状態を示す情報を取得する第１のプロトコル制御部と、
前記第１のプロトコル制御部から前記子局装置の状態を示す情報を取得し、子局装置ごとの状態を状態情報として保持する状態管理部と、
前記第１のプロトコルと異なる第２のプロトコルに基づいて前記上位ネットワークとの間の通信を行う第２のプロトコル制御部と、
前記状態情報に基づいて前記子局装置に前記第２のプロトコルにおける監視ポイントが設定された場合と同等の応答を行う代理ポイントの設定を前記第２のプロトコル制御部に対して実施するプロトコル変換部と、
を備えることを特徴とする制御装置。
【請求項６】
子局装置と第１のプロトコルにより通信を行い、前記第１のプロトコルと異なる第２のプロトコルに基づいて上位ネットワークとの間の通信を行い、前記第１のプロトコルにより取得した前記子局装置の状態を示す情報を状態情報として保持し、前記状態情報に基づいて前記子局装置に前記第２のプロトコルにおける監視ポイントが設定された場合と同等の応答を行う親局装置と、前記第１のプロトコルにより通信を行う前記子局装置であって、
前記第２のプロトコルに従ってトラフィック状態を通知することを特徴とする子局装置。
【請求項７】
子局装置と、前記子局装置に光通信路により接続されるとともに上位ネットワークに接続される親局装置とを備え、前記子局装置と前記親局装置が第１のプロトコルにより通信を行う光通信システムであって、
前記親局装置は、
前記第１のプロトコルに基づいて前記子局装置の状態を示す情報を取得する第１のプロトコル制御部と、
前記第１のプロトコル制御部から前記子局装置の状態を示す情報を取得し、子局装置ごとの状態を状態情報として保持する状態管理部と、
前記第１のプロトコルと異なる第２のプロトコルに基づいて前記上位ネットワークとの間の通信を行う第２のプロトコル制御部と、
前記状態情報に基づいて前記子局装置に前記第２のプロトコルにおける監視ポイントが設定された場合と同等の応答を行う代理ポイントの設定を前記第２のプロトコル制御部に対して実施するプロトコル変換部と、
を備えることを特徴とする光通信システム。
【請求項８】
子局装置と、前記子局装置に光通信路により接続されるとともに上位ネットワークに接続される親局装置とを備え、前記子局装置と前記親局装置が第１のプロトコルにより通信を行う光通信システムにおける障害監視方法であって、
前記親局装置が、
前記第１のプロトコルに基づいて前記子局装置の状態を示す情報を取得する第１のプロトコル処理ステップと、
前記第１のプロトコル処理ステップで取得した前記子局装置の状態を示す情報を、子局装置ごとに状態情報として保持する状態管理ステップと、
前記第１のプロトコルと異なる第２のプロトコルに基づいて前記上位ネットワークとの間の通信を行う第２のプロトコル処理ステップと、
前記状態情報に基づいて前記子局装置に前記第２のプロトコルにおける監視ポイントが設定された場合と同等の応答を行う代理ポイントの設定を前記第２のプロトコル処理ステップに対して実施するプロトコル変換ステップと、
を含むことを特徴とする障害監視方法。
【請求項９】
前記子局装置に対して、前記第２のプロトコルに対応しているか否かの問い合わせを前記第１のプロトコルに基づいて実施するよう前記第１のプロトコル制御部へ指示し、前記問い合わせに対する応答に基づいて、前記子局装置の代理となる前記代理ポイントを自装置に設定するか否かを判断する代理設定要否判定部、を備えることを特徴とする請求項１、２または３に記載の親局装置。
【請求項１０】
前記親局装置から、前記第１のプロトコルに基づいた、前記第２のプロトコルに対応しているか否かの問い合わせを受信した場合に、自装置が前記第２のプロトコルに対応しているか否かを応答することを特徴とする請求項６に記載の子局装置。
【請求項１１】
前記子局装置に対して、前記第２のプロトコルに対応しているか否かの問い合わせを前記第１のプロトコルに基づいて実施するよう前記親局装置へ指示し、前記問い合わせに対する応答に基づいて、前記子局装置の代理となる前記代理ポイントを前記親局装置に設定するか否かを判断する制御管理装置、
をさらに備え、
前記親局装置は、
前記制御管理装置からの指示に基づいて、前記問い合わせを前記第１のプロトコルに基づいて実施し、前記問い合わせに対する応答を前記制御管理装置へ通知することを特徴とする請求項７に記載の光通信システム。
【発明の詳細な説明】
【技術分野】
【０００１】
本発明は、親局装置、制御装置、子局装置、光通信システムおよび障害監視方法に関する。
【背景技術】
【０００２】
レイヤ２のネットワーク監視プロトコルの一つとして、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）８０２．１ａｇやＹ．１７３１で規格化されたＥｔｈｅｒｎｅｔ（登録商標）  ＯＡＭ（Ｏｐｅｒａｔｉｏｎ  Ａｄｍｉｎｉｓｔｒａｔｉｏｎ  ａｎｄ  Ｍａｉｎｔｅｎａｎｃｅ）がある。ＧＥ−ＰＯＮ（Ｇｉｇａｂｉｔ  Ｅｔｈｅｒｎｅｔ（登録商標）−Ｐａｓｓｉｖｅ  Ｏｐｔｉｃａｌ  Ｎｅｔｗｏｒｋ）やＧ−ＰＯＮ（Ｇｉｇａｂｉｔ  ＰＯＮ）などのＰＯＮシステムにＥｔｈｅｒｎｅｔ（登録商標）  ＯＡＭ（以降、ＥＯＡＭと略す）を適用してそれぞれの装置を監視する場合、親局装置として動作するＯＬＴ（Ｏｐｔｉｃａｌ  Ｌｉｎｅ  Ｔｅｒｍｉｎａｌ）や子局装置として動作するＯＮＵ（Ｏｐｔｉｃａｌ  Ｎｅｔｗｏｒｋ  Ｕｎｉｔ）それぞれにプロトコル処理を実施する機能を搭載する必要がある。例えばＯＮＵに搭載するＳ／Ｗ（ＳｏｆｔＷａｒｅ）でそれらのプロトコル処理を実現することにより、ＥＯＡＭに対応させる方法も提案されている（例えば、特許文献１参照）。【０００３】
一方で、それぞれのＰＯＮシステムにおいては、ＯＮＵの状態をＥＯＡＭやＰＯＮシステムに応じたプロトコルにて管理しており、ＯＬＴにてユーザインタフェースまでの導通状態を監視している。
【先行技術文献】
【特許文献】
【０００４】
【特許文献１】特表２０１０−５２７２０５号公報
【発明の概要】
【発明が解決しようとする課題】
【０００５】
従来のＰＯＮシステムにおいて、ＥＯＡＭをＯＮＵに適用するには、ＯＮＵにＩＥＥＥ８０２．１ａｇやＹ．１７３１の機能を実装する必要がある。このため、ＩＥＥＥ８０２．１ａｇやＹ．１７３１の機能を実装していないＥＯＡＭ非対応のＯＮＵはＥＯＡＭプロトコルで監視出来ないという問題があった。【０００６】
本発明は、上記に鑑みてなされたものであって、子局装置（ＯＮＵ）に変更を加えずに、または少ない変更量で、ＥＯＡＭによりネットワーク側から子局装置までを管理することができる親局装置、制御装置、子局装置、光通信システムおよび障害監視方法を得ることを目的とする。
【課題を解決するための手段】
【０００７】
上述した課題を解決し、目的を達成するために、本発明は、子局装置と光通信路により接続され、前記子局装置と第１のプロトコルにより通信を行い、上位ネットワークに接続される親局装置であって、前記第１のプロトコルに基づいて前記子局装置の状態を示す情報を取得する第１のプロトコル制御部と、前記第１のプロトコル制御部から前記子局装置の状態を示す情報を取得し、子局装置ごとの状態を状態情報として保持する状態管理部と、前記第１のプロトコルと異なる第２のプロトコルに基づいて前記上位ネットワークとの間の通信を行う第２のプロトコル制御部と、前記状態情報に基づいて前記子局装置に前記第２のプロトコルにおける監視ポイントが設定された場合と同等の応答を行う代理ポイントの設定を前記第２のプロトコル制御部に対して実施するプロトコル変換部と、を備えることを特徴とする。
【発明の効果】
【０００８】
本発明にかかる親局装置、制御装置、子局装置、光通信システムおよび障害監視方法は、子局装置（ＯＮＵ）に変更を加えずに、または少ない変更量で、ＥＯＡＭによりネットワーク側から子局装置までを管理することができるという効果を奏する。
【図面の簡単な説明】
【０００９】
【図１】図１は、実施の形態１の通信システムの構成例を示す図である。
【図２】図２は、ＥＯＡＭにおけるＭＥＰおよびＭＩＰの設定例を示す図である。
【図３】図３は、実施の形態１のＭＥＰおよびＭＩＰの配置例を示す図である。
【図４】図４は、実施の形態１のＯＬＴの構成例を示す図である。
【図５】図５は、実施の形態１のＯＮＵの構成例を示す図である。
【図６】図６は、実施の形態１の代理監視ポイントを用いた障害監視手順の一例を示すフローチャートである。
【図７】図７は、実施の形態２の通信システムの構成例を示す図である。
【図８】図８は、実施の形態４のＯＬＴの構成例を示す図である。
【図９】図９は、実施の形態４の代理監視ポイントの設定要否の判定処理の処理手順の一例を示すフローチャートである。
【図１０】図１０は、ＯＬＴの外部の装置に代理設定要否判定部を設ける場合の通信システムの構成例を示す図である。
【発明を実施するための形態】
【００１０】
以下に、本発明にかかる親局装置、制御装置、子局装置、光通信システムおよび障害監視方法の実施の形態を図面に基づいて詳細に説明する。なお、この実施の形態によりこの発明が限定されるものではない。
【００１１】
実施の形態１．
図１は、本発明にかかるＰＯＮシステム（光通信システム）を含む通信システムの実施の形態１の構成例を示す図である。図１に示すように、本実施の形態の通信システムは、親局装置として動作する局側光通信装置（“Ｏｐｔｉｃａｌ  Ｌｉｎｅ  Ｔｅｒｍｉｎａｌ”とも言い、以降「ＯＬＴ」と称す。）２０と、子局装置として動作する複数の利用者側光通信装置（“Ｏｐｔｉｃａｌ  Ｎｅｔｗｏｒｋ  Ｕｎｉｔ”とも言い、以降「ＯＮＵ」と称す。）２１−１〜２１−３と、利用者側に配置されたイーサネット（登録商標）スイッチ１０と、上位側の（上位ネットワークに接続される）イーサネット（登録商標）スイッチ１１とから構成される。なお、図１では、ＯＮＵが３台の例を示しているがＯＮＵの数はこれに限定されない。
【００１２】
ＯＬＴ２０とＯＮＵ２１−１〜２１−３は、光カプラ２２および光ファイバを介して接続され、ＰＯＮシステムを構成する。このＰＯＮシステムは、ＩＥＥＥ８０２．３ａｈをベースとしたＧＥ−ＰＯＮシステムでもよいし、Ｇ．９８３．１のＧ−ＰＯＮシステムなどでもよく、ＯＮＵ２１−１〜２１−３の状態をＯＬＴが管理できる構成のシステムであればよい。ＯＬＴ２０およびイーサネットスイッチ１０，１１にはＩＥＥＥ８０２．１ａｇやＹ．１７３１に記載されているＥｔｈｅｒｎｅｔ（登録商標）  ＯＡＭ（以降、「ＥＯＡＭ」と略す。）機能を備える。イーサネットスイッチ１０，１１はゲートウェイやルータであってもよい。
【００１３】
イーサネットスイッチ１０は、下位側のインタフェース処理を行うＩ／Ｆ（インタフェース）１２と、上位側のインタフェース処理を行うＩ／Ｆ１３とを備える。ＯＮＵ２１−１は、下位側のインタフェース処理を行うＩ／Ｆ２３と、上位側のインタフェース処理を行うＩ／Ｆ２４とを備える。ＯＮＵ２１−２，ＯＮＵ２１−３は、ＯＮＵ２１−１と同様の構成であってもよく異なっていてもよい。ＯＬＴ２０は、下位側のインタフェース処理を行うＩ／Ｆ２５と、上位側のインタフェース処理を行うＩ／Ｆ２６とを備える。イーサネットスイッチ１１は、下位側のインタフェース処理を行うＩ／Ｆ（インタフェース）１４と、上位側のインタフェース処理を行うＩ／Ｆ１５とを備える。
【００１４】
ＯＬＴ２０は、ＯＮＵごとに当該ＯＮＵの状態を管理する機能を備える。ＯＮＵの状態としては、例えばＵＮＩ（Ｕｓｅｒ  Ｎｅｔｗｏｒｋ  Ｉｎｔｅｒｆａｃｅ）のリンク状態や、導通状態、試験状態などがある。ＯＬＴ２０が、ＯＮＵの状態を管理する方法としては、例えば運用管理保守（ＯＡＭ）等を用いて管理する方法や、ＩＥＥＥ８０２．３ａｈで規定されているリンク状態監視などがあり、どのような方法でＯＮＵの状態を管理していてもよい。
【００１５】
ここで、ＯＮＵをＥＯＡＭの監視ポイントとする場合、ＯＮＵに、ＥＯＡＭの規格で定義されたメンテナンスエンドポイント（ＭＥＰ）やメンテナンス中間ポイント（ＭＩＰ）を設定し、ＥＴＨ−ＣＣ（Ｅｔｈｅｒｎｅｔ（登録商標）  Ｃｏｎｔｉｎｕｉｔｙ  Ｃｈｅｃｋ）フレーム等を用いて接続性チェックを行い、ＭＥＰ間のネットワーク状態を監視する。ＭＥＰは、障害監視などのためのＯＡＭフレームの生成と終端を実施する機能を有する。ＭＩＰは、下位のレベルのＭＥＰからの情報を、上位の監視ポイントであるＭＥＰに通知する機能を有する。
【００１６】
ＥＯＡＭの監視ポイントには監視レベルがあり、例えばカスタマー管理用、プロバイダ用、ネットワークオペレータ用、物理層用などに分けて使われる。監視は同一レベルのＭＥＰ間で行われるが、あるレベルのＭＥＰに対して上位レベルに通知するため、該当する上位レベルにＭＩＰが定義される。
【００１７】
図２は、ＥＯＡＭにおけるＭＥＰおよびＭＩＰの設定例を示す図である。図２は、図１に示した通信システムにおいて、ＥＯＡＭにおけるＭＥＰおよびＭＩＰを従来の方法により設定した例を示している。ＭＥＰ３０，３２，３３，３４，３５，３６，３８は、装置間を監視する管理エンドポイントであり、例えば、ＭＥＰ３２，３３は、イーサネットスイッチ１１とＯＬＴ２０間を監視する。ＭＥＰ３１，３７は、中間ネットワーク（イーサネットスイッチ１１とＯＮＵ２１−１のＩ／Ｆ２３までの間）を監視する管理エンドポイントである。ＭＥＰ３９は、利用者が設定する管理エンドポイントである。ＭＩＰ４０，４３は、利用者の監視区間に設定された管理中間ポイントである。ＭＩＰ４１は、中間ネットワークを管理する管理中間ポイントである。図２は一例であり、ＭＥＰ、ＭＩＰの設定位置は、図２に限定されない。
【００１８】
一方、ＯＬＴ２０とＯＮＵ２１−１〜２１−３の間では例えばＩＥＥＥ８０２．３ａｈのＯＡＭ等を用いてすでに監視を行っており、ＯＬＴ２０は、ＯＮＵ２１−１〜２１−３までの接続状態やＯＮＵ２１−１〜２１−３の状態を管理している。ＯＬＴ２０が、ＯＮＵ２１−１〜２１−３のＵＮＩのリンク状態（Ｉ／Ｆ２３とＩ／Ｆ１３の間のリンク状態）などを知ることができるＰＯＮシステムもある。
【００１９】
そのため、ＥＯＡＭの監視ポイントをＯＮＵに設定しなくても、ＯＬＴ２０は、ＰＯＮシステム内で得られる情報を用いて、ある程度ＯＮＵ２１−１〜２１−３までの接続状態を把握している。ＯＬＴ２０は、このＰＯＮシステム内で得られたＯＮＵの状態を上位の監視ポイントに通知することができる。
【００２０】
そこで、本実施の形態では、ＯＬＴ２０が、ＰＯＮシステム内で得られたＯＮＵ２１−１〜２１−３の状態をＥＯＡＭにおける応答に反映する。すなわち、本来ＯＮＵ２１−１〜２１−３に設定するべきＭＥＰやＭＩＰを、ＯＬＴ２０に代理に配置する。これにより、ＯＮＵ２１−１〜２１−３に、ＯＮＵ２１−１〜２１−３に設定するべきＭＥＰやＭＩＰを設定する必要がなくなる。
【００２１】
図３は、本実施の形態のＭＥＰおよびＭＩＰの配置例を示す図である。図２ではＯＮＵ２１−１に設定されていたＭＩＰ４３の代わりに、ＯＬＴ２０内に代理のＭＩＰ５０を設定し、ＯＮＵ２１−１に設定されていたＭＥＰ３７，ＭＩＰ４２の代わりに、ＯＬＴ２０内に代理のＭＥＰ５１を設定し、ＯＮＵ２１−１に設定されていたＭＥＰ３８の代わりに、ＯＬＴ２０内に代理のＭＥＰ５２を設定する。ＭＩＰ４２については、ＭＥＰ３５の警報に対する応答処理を行うものであり、仮想ＭＥＰを用いる場合においては、ＯＮＵ２１−１のＩ／Ｆ２４でＰＯＮ区間の異常を検出するためのＭＥＰ３５は定義する意味をなさないため、ＭＩＰ４２は不要となる。
【００２２】
図４は、本実施の形態のＯＬＴ２０の構成例を示す図である。図４のＩ／Ｆ１００は図１のＩ／Ｆ２５に相当し、Ｉ／Ｆ１０１は図１のＩ／Ｆ２６に相当する。Ｉ／Ｆ１００は、ＰＯＮプロトコル（第１のプトロコル）に基づいてＯＬＴ側の処理を実施するＰＯＮ制御部（第１のプロトコル処理部）１１０と、ＯＮＵ状態管理部（状態管理部）１１１と、プロトコル変換部１１２と、ＥＯＡＭ（第２のプロトコル）に基づく処理を行うＥＯＡＭ処理部（第２のプロトコル処理部）１１３と、光信号の送受信処理を行う光送受信器１１５と、を備える。
【００２３】
なお、上記のＰＯＮプロトコルとは、レイヤ２の副層であるＭＡＣ（Ｍｅｄｉａ  Ａｃｃｅｓｓ  Ｃｏｎｔｒｏｌ）層等で用いられる制御用プロトコルであって、例えばＩＥＥＥで規定されているＭＰＣＰ（Ｍｕｌｔｉ−ｐｏｉｎｔ  Ｃｏｎｔｒｏｌ  Ｐｒｏｔｏｃｏｌ）やＯＡＭ等のことである。
【００２４】
ＰＯＮ制御部１１０は、ＰＯＮプロトコルに基づいて、ＯＮＵ２１−１〜２１−３の管理を行い、ＰＯＮプロトコルの制御フレーム等を生成して、光送受信器１１５経由でＯＮＵ２１−１〜２１−３へ送信する。また、ＰＯＮ制御部１１０は、光送受信器１１５経由でＯＮＵ２１−１〜２１−３から受信したＰＯＮプロトコルの制御フレームを受信し、受信した制御フレームに基づいてＯＮＵ２１−１〜２１−３の状態を把握し、ＯＮＵ状態管理部１１１へ渡す。ＰＯＮ制御部１１０では、ＯＮＵ２１−１〜２１−３と送受信する制御フレームを用いて、リンク接続状態等を把握し、また、上りのユーザトラフィックの制御等を実施する。ＯＮＵ状態管理部１１１は、ＯＮＵ２１−１〜２１−３の状態をＯＮＵごとに状態情報として保持する。ＯＮＵ状態管理部１１１は、ＥＯＡＭに対応していないＯＮＵについて状態情報を保持するが、ＥＯＡＭに対応していないＯＮＵについては状態情報を保持しなくてもよい。
【００２５】
プロトコル変換部１１２は、ＯＮＵ状態管理部１１１からＯＮＵの状態情報を取得し、この状態情報をＥＯＡＭにおける監視ポイントの状態情報に変換し、ＥＯＡＭ処理部１１３に配置したＯＮＵ監視ポイント１１４に設定する。この変換は、例えば、ＯＮＵの状態の種類とＥＯＡＭにおける監視ポイントの状態との対応をテーブル等に管理して実施するようにしてもよいし、その他の方法で実施してもよい。なお、プロトコル変換部１１２はハードウェアで構成してもよいし、Ｓ／Ｗで構成してもよいし、上位のＰＯＮシステムを管理するＳ／Ｗ等に具備してもよいし、その組み合わせでもよい。また、Ｉ／Ｆ１００を１つの制御部（制御装置）として構成してもよい。ＯＮＵ監視ポイント１１４は、自身に設定した代理の監視ポイントに対向するＭＥＰからＥＯＡＭのフレームを受信した場合に、当該フレームの処理を実施し、応答が必要なものについては、本来ＯＮＵに設定する監視ポイントの代わりに応答を行う。なお、ここでの応答には、代理の監視ポイントがＥＯＡＭフレームを送信する場合と後述するように代理の監視ポイントが無効になりフレームを送信しない場合とが含まれる。
【００２６】
図５は、本実施の形態のＯＮＵ２１−１の構成例を示す図である。図５に示すように、ＯＮＵ２１−１は、Ｉ／Ｆ（図１のＩ／Ｆ２３に対応）２００とＩ／Ｆ（図１のＩ／Ｆ２４に対応）２０１を備える。Ｉ／Ｆ２０１は、ＰＯＮプロトコルに基づいてＯＮＵ側の処理を実施するＰＯＮ制御部２１１と、光信号の送受信処理を行う光送受信器２１０と、を備える。ＰＯＮ制御部２１１は、光送受信器２１０経由でＯＬＴ２０から受信した制御フレームを処理し、応答を要する制御フレームに対して応答フレームを生成し、光送受信器２１０経由でＯＬＴ２０へ送信する。本実施の形態では、ＯＮＵ２１−１は、ＥＯＡＭの対応した機能は備えていないとする。
【００２７】
例えば、ＯＬＴ２０のＰＯＮ制御部１１０が、ＯＮＵ２１−１のＵＮＩリンクがリンク断の状態であることを検出したとする。ＯＮＵ状態管理部１１１は、ＰＯＮ制御部１１０からＯＮＵ２１−１のＵＮＩリンクがリンク断であるという状態情報を保持する。プロトコル変換部１１２は、ＯＮＵ２１−１のＵＮＩリンクがリンク断であることから、図２のような構成であった場合には、ＭＩＰ４３は応答できなくなるはずである。したがって、ＭＩＰ４３が応答しない場合と同様の処理を実施する。この場合、プロトコル変換部１１２は、ＯＮＵ監視ポイント１１４のＭＩＰ５０（ＭＩＰ４３に対応する代理監視ポイント）を無効とし（ＥＯＡＭにおける状態情報として応答しない状態に変換する）、ＯＮＵの監視ポイントが応答しない場合と同様の状態とする。これにより、対向するＭＥＰポイントでは、ＭＩＰ４３が応答しないときと同様のリンク異常を検出することが可能となる。なお、監視ポイントを無効にせずとも、常時送信している接続性チェックのＥＴＨ−ＣＣフレームの出力を制限する方法としてもよい。
【００２８】
また、ＰＯＮ制御部１１０が、ＯＮＵ２１−１との間のＰＯＮリンク（光回線）ダウンを検出したとすると、図２のような構成であった場合には、ＭＥＰ３７、ＭＩＰ４２は応答できなくなるはずである。したがって、ＯＬＴ２０内の代理のＭＥＰ５１を無効にすることにより、対向するＭＥＰ３１では、監視ポイントＭＥＰ３７、ＭＩＰ４２が応答していないと把握することができる。例えば、ＰＯＮ制御部１１０におけるＯＮＵの状態を示すものとして、ＧＥ−ＰＯＮシステムではＭＰＣＰタイムアウトがある。ＭＰＣＰタイムアウトはＯＮＵとの上りデータ通信に必要なＧａｔe−Ｒｅｐｏｒｔ制御において、ＯＮＵからのＲｅｐｏｒｔが指定した時間までＯＬＴで受信されなかった状態を示しており、ＭＰＣＰタイムアウトが発生すると、ＯＮＵはリンク断の状態になる。
【００２９】
図６は、本実施の形態の代理の監視ポイントを用いた障害監視手順の一例を示すフローチャートである。まず、ＯＬＴ２０では、ＯＮＵ２１−１に設定する監視ポイントの代わりの代理の監視ポイントをＯＮＵ監視ポイント１１４に設定する（ステップＳ１）。具体的には、ＯＮＵ監視ポイント１１４が、本来ＯＮＵに設定する監視ポイントと同様の応答ができるように、ＥＯＡＭにおけるフレームのパラメータ等を設定しておく。次に、ＯＬＴ２０では、プロトコル変換部１１２が、ＯＮＵ状態管理部１１１からＯＮＵの状態情報を取得する（ステップＳ２）。プロトコル変換部１１２は、ＯＮＵの状態情報に変化があったか否かを判断し、変化があった場合（ステップＳ３  Ｙｅｓ）、ＯＮＵ監視ポイント１１４に反映させる（ステップＳ４）。具体的には、ＯＮＵ監視ポイント１１４がフレームを送信しないようにしたり、通知が必要な障害をＥＯＡＭフレームによって送信するように設定したりする。そして、ＯＮＵ監視ポイント１１４は、ＥＯＡＭにおける応答を実施する。ＯＮＵの状態情報に変化がなかった場合（ステップＳ３  Ｎｏ）、ステップＳ２へ戻る。
【００３０】
他にも、ＯＮＵの電源断をＯＬＴ２０のＰＯＮ制御部１１０で検出可能である場合、プロトコル変換部１１２が、ＯＮＵの状態管理部１１１から得られたＯＮＵ電源断情報を用いて、あらかじめ定義したベンダ独自のＯＡＭにしたがって形式のフレームを生成し、ＯＮＵ監視ポイント１１４から対向のＭＥＰに対して送信するようにしてもよい。これにより、電源断によるリンク切断状態を異常時と区別して通知することが出来る。
【００３１】
以上のように、本実施の形態では、ＯＬＴ２０が、ＰＯＮ制御部１１０から得られるＯＮＵ２１−１の状態情報に基づいて、ＥＯＡＭに基づいてＯＮＵ２１−１の内のＥＯＡＭにおける監視ポイントと同様の応答を実現するようにした。このため、ＯＮＵ２１−１に監視ポイントを設定せずにＯＬＴ２０に代理の監視ポイントを設定することになり、ＯＮＵに変更を加えずに、または少ない変更量で、ＥＯＡＭによりネットワーク側から子局装置までを管理することができるという効果を奏する。
【００３２】
なお、ＯＬＴ２０の代理監視ポイントにおいては、厳密なユーザトラフィック状態を反映できない。このため、ユーザトラフィックの状態を通知するために、ＯＮＵ２１−１に一部の機能のみ（例えばＥｔｈｅｒｎｅｔ  ＯＡＭの機能の一つであるループバック制御などトラフィック状態を表す機能に限定）を例えばＳ／Ｗにより実装するようにしてもよい。
【００３３】
実施の形態２．
図７は、本発明にかかるＰＯＮシステムを含む通信システムの実施の形態２の構成例を示す図である。本実施の形態では、ＯＮＵ２１−１が複数のポートを有し、ポートごとにＵＮＩを定義する例について説明する。ＯＮＵ２１−１は、Ｉ／Ｆ２３−１〜２３−ｎ（ｎは２以上の整数）を備え、各Ｉ／Ｆはそれぞれ異なるポートに対応する。Ｉ／Ｆ２３−１〜２３−ｎは、接続するポートに対応したＵＮＩの処理を実施する。本実施の形態の通信システムの構成は、ＯＮＵ２１−１以外は実施の形態１と同様である。以下、実施の形態１と異なる部分を説明する。
【００３４】
ＯＮＵが複数のＵＮＩ（下位側のインタフェース）を有する場合、ＥＯＡＭでは、一般にＵＮＩごと（ポートごと）にＯＮＵのＭＥＰやＭＩＰ等の監視ポイントが設定される。図７では、ＯＬＴ２０のＯＮＵ監視ポイント１１４として、ＵＮＩごとの代理の監視ポイントを設定（Ｉ／Ｆ２３−１について、ＭＩＰ４３の代理のＭＩＰ５０、ＭＥＰ３７の代理のＭＥＰ５１を設定し、…、Ｉ／Ｆ２３−ｎについて、ＭＩＰ６３の代理のＭＩＰ６０、ＭＥＰ６４の代理のＭＥＰ６１を設定）した例を示している。一方、同一デバイスにおいて、例えばＦ／Ｗ（ファームウェア）の更新制御や、折り返し試験による導通の状態、ＯＮＵ２１−１のリンク状態など、ＯＮＵ全般の設定は、ＵＮＩ毎ではなく同一ＯＮＵでは共通する。したがって、ＥＯＡＭにおけるＭＥＰ、ＭＩＰ等の応答動作も共通化可能な部分がある。
【００３５】
そこで、実施の形態１で述べたようにＯＬＴ２０がＯＮＵの代理の監視ポイントを有する場合に、例えば同一ＯＮＵや、同一Ｌｉｎｋで影響が共通的に発生する監視ポイントに対して、それぞれの管理ＩＤを一つのグループとして扱う。このグループではＯＬＴ２０における管理ポイント自体は一つとして定義し、まとめて複数ＵＮＩ分のＭＥＰまたはＭＩＰ応答処理を行う。そして、ＵＮＩごとに応答する必要のある項目については、ＵＮＩごとの応答処理を実施する。
【００３６】
以上のように、同一ＯＮＵや、同一Ｌｉｎｋで影響が共通的に発生する監視ポイントをＯＬＴ２０内の１つの代理の管理ポイントとして、ＥＯＡＭの応答処理を行うようにした。このため、ＯＬＴ２０内のＥＯＡＭに関するデバイスリソースの節約や、制御の簡略化を図ることが可能となる。
【００３７】
実施の形態３．
次に、本発明にかかる実施の形態３の通信システムについて説明する。本実施の形態の通信システムの構成は実施の形態１と同様である。以下、実施の形態１と異なる部分を説明する。
【００３８】
ＯＬＴ２０に、ＥＯＡＭ対応のＯＮＵと、非対応のＯＮＵとが混在して収容される場合もある。ＥＯＡＭに対応しているか非対応であるかは、ＯＮＵの種別やＳ／Ｗのバージョンなどによって判断できる。このため、本実施の形態では、ＯＬＴ２０は、ＯＮＵ状態管理部１１１が、ＰＯＮ制御部１１０からＯＮＵごとにＥＯＡＭの対応状況が分かる情報を取得して管理する。プロトコル変換部１１２は、ＯＮＵ状態管理部１１１が管理している情報に基づいて、ＯＮＵごとに、当該ＯＮＵ内に監視ポイントを設定するか、ＯＬＴ２０内に当該ＯＮＵに代わる代理監視ポイントを設定するか、を決定する。プロトコル変換部１１２は、この決定結果に基づいて、ＯＮＵごとにプロトコル変換部１１２が代理監視ポイントにＯＮＵの状態情報を反映させるか否かを判断し、ＥＯＡＭに非対応のＯＮＵについて、ＰＯＮ制御部１１０から得られた情報をＥＯＡＭ処理部１１３に配置したＯＮＵ監視ポイント１１４に設定する。このような処理により、管理者が各ＯＮＵのＥＯＡＭ対応・非対応を意識することなく、ＥＯＡＭによる管理を可能とする。但し、代理としてＯＬＴ２０に定義したＯＮＵ監視ポイント１１４では、ＥＯＡＭにおいて実現できない機能が生じる場合も考えられるため、管理者がＯＮＵのＥＯＡＭ対応状況を知る手段も備えることが望ましい。または、ＯＬＴ２０が、その対応状況が分かる情報を管理するのではなく、必要に応じてＯＮＵ２１−１〜２１−３に問い合わせて確認する方法でもよい。
【００３９】
なお、本実施の形態では、実施の形態１の通信システムにおいてＯＮＵごとにＥＯＡＭの対応状況を判定するようにしたが、実施の形態２の通信システムにおいてＯＮＵごとにＥＯＡＭの対応状況を判定し本実施の形態の動作を行うようにしてもよい。
【００４０】
このように、本実施の形態では、ＯＬＴ２０が、ＰＯＮ制御部１１０から得られる情報に基づいて、ＯＮＵごとにＥＯＡＭに対応しているか非対応の情報を管理し、ＯＮＵごとに当該ＯＮＵ内に監視ポイントを設定するか、ＯＬＴ２０内に当該ＯＮＵの代理の監視ポイントを設定するか、を決定するようにした。このため、ＥＯＡＭに対応するＯＮＵと非対応のＯＮＵが混在する場合にも、管理者の煩雑な設定等を必要とせずに、ＥＯＡＭによる管理を実施することができる。
【００４１】
実施の形態４．
図８は、本発明にかかるＯＬＴの実施の形態４の構成例を示す図である。本実施の形態のＯＬＴ２０ａは、Ｉ／Ｆ１００ａと、実施の形態１と同様のＩ／Ｆ１０１と、代理設定要否判定部１０２と、監視制御Ｉ／Ｆ１０３とを備える。Ｉ／Ｆ１００ａは、実施の形態１のＩ／Ｆ１００にＯＮＵ設定制御部１１６を追加する以外は、実施の形態１のＩ／Ｆ１００と同様である。実施の形態１と同様の機能を有する構成要素は、実施の形態１と同一の符号を付して重複する説明を省略する。以下、実施の形態１と異なる部分を説明する。
【００４２】
本実施の形態では、ＯＬＴ２０ａが、各ＯＮＵにＥＯＡＭに対応しているか否かを問い合わせ、この問い合わせの結果に基づいて当該ＯＮＵの代理監視ポイントを設定するか否かを判定する。図９は、本実施の形態の代理監視ポイントの設定要否の判定処理の処理手順の一例を示すフローチャートである。図９に示すように、ＯＬＴ２０ａの代理設定要否判定部１０２は、ＯＮＵに対してＥＯＡＭへの対応状況を問い合わせる（ステップＳ１１）。具体的には、代理設定要否判定部１０２はＯＮＵ設定制御部１１６に対してＯＮＵに対してＥＯＡＭへの対応状況を問い合わせるよう指示する。ＯＮＵ設定制御部１１６は、ＯＮＵに対してＥＯＡＭへの対応状況を問い合わせる制御フレームをＰＯＮプロトコルに基づいて生成するようＰＯＮ制御部１１０へ指示する。ＰＯＮ制御部１１０は、ＰＯＮプロトコルに基づいて生成した制御フレームを光送受信器１１５経由でＯＮＵへ送信する。
【００４３】
ＯＬＴ２０ａの代理設定要否判定部１０２は、ＯＮＵからの応答がＥＯＡＭに未対応という結果であったか、またはＯＮＵからの応答がＦａｉｌ（ＯＮＵから制御フレームに対する正常な応答を受信できない）であるかを判断する（ステップＳ１２）。具体的には、ＰＯＮ制御部１１０は、ステップＳ１１で送信した制御フレームに対する応答を受信した場合には、この応答自体またはこの応答の内容をＯＮＵ設定制御部１１６経由で代理設定要否判定部１０２へ通知する。代理設定要否判定部１０２は、ＯＮＵ設定制御部１１６経由のこの通知に基づいてＯＮＵからの応答がＥＯＡＭに未対応という結果であったか、またはＯＮＵからの応答がＦａｉｌ（一定時間以内に正常な応答が受信できない）であるか否かを判断する。ＯＮＵは、ＥＯＡＭへの対応状況を問い合わせる制御フレームを解析できるように設定されている場合には、当該制御フレームに正常に応答することができ、ＥＯＡＭに対応しているか否かを応答フレームとして返送する。
【００４４】
ＯＮＵからの応答がＦａｉｌでなくかつ当該応答がＥＯＡＭに対応しているという結果であった場合（ステップＳ１２  Ｎｏ）、代理設定要否判定部１０２は、ＯＮＵ状態管理部１１１に対して、当該ＯＮＵの対応状況の情報を、ＥＯＡＭに対応している（ＥＯＡＭに対応しているか否かを示す情報をＹｅｓとする）と設定するよう指示する（ステップＳ１３）。なお、ＯＮＵ状態管理部１１１は、実施の形態３と同様にＯＮＵごとのＥＯＡＭの対応状況を情報として管理しており、代理設定要否判定部１０２からの指示に基づいて、ＯＮＵの対応状況の情報を更新する。
【００４５】
ステップＳ１３の後、代理設定要否判定部１０２は、ＯＮＵに通常のＥＯＡＭの監視ポイントを設定するよう指示し（ステップＳ１４）、処理を終了する。ＯＮＵは、この指示に基づいて、自身にＥＯＡＭの監視ポイントを設定する。
【００４６】
ＯＮＵからの応答がＦａｉｌであるかまたは当該応答がＥＯＡＭに非対応であるという結果であった場合（ステップＳ１２  Ｙｅｓ）、代理設定要否判定部１０２は、ＯＮＵ状態管理部１１１に対して、当該ＯＮＵの対応状況の情報を、ＥＯＡＭに対応していない（ＥＯＡＭ対応に対応しているか否かを示す情報をＮｏとする）と設定するよう指示する（ステップＳ１５）。
【００４７】
ステップＳ１５の後、代理設定要否判定部１０２は、ＥＯＡＭ処理部１１３に対して、ＯＮＵの代理として代理監視ポイントを設定するよう指示し（ステップＳ１６）、処理を終了する。以上の処理をＯＮＵごとに実施して、各ＯＮＵについて、ＯＮＵに監視ポイントを設定するか、ＯＬＴ２０ａ内に代理監視ポイントを設定するかを決定する。代理設定要否判定部１０２は、代理監視ポイントを設定するか否かの決定結果を監視制御Ｉ／Ｆ１０３経由で上位側へ通知する。図９で説明した代理監視ポイントの設定要否の判定処理は、ＯＮＵが新規に接続されるときに実施してもよいし、一定時間ごとに実施してもよいし、その他通信システム内になんらかの構成変更が生じた場合に実施してもよく、代理監視ポイントの設定要否の判定処理の実施タイミングに制約はない。
【００４８】
なお、本実施の形態では、ＯＮＵ設定制御部１１６を備えるようにしたが、ＯＮＵ設定制御部１１６を備えずに、代理設定要否判定部１０２がＰＯＮ制御部１１０とやりとりを行ってもよい。
【００４９】
以上のように、本実施の形態では、ＯＬＴ２０ａの代理設定要否判定部１０２が、ＯＮＵへのＥＯＡＭに対応しているか否かの問い合わせ結果に基づいて、ＯＮＵごとに、ＯＮＵに監視ポイントを設定するかＥＯＡＭ処理部１１３に代理監視ポイントを設定するかを決定するようにした。このため、ＯＮＵのＥＯＡＭの対応状況が変化した場合も、最新の状況に基づいて適切にＯＮＵに監視ポイントを設定するか代理監視ポイントを設定するかを判断することができる。
【００５０】
なお、本実施の形態では、ＯＬＴ２０ａ内に代理設定要否判定部１０２を備えるようにしたが、外部の装置に代理設定要否判定部１０２を設けてもよい。図１０は、外部の装置に代理設定要否判定部１０２を設ける場合の通信システムの構成例を示す図である。図１０の通信システムは、ＯＬＴ２０ａの替わりに実施の形態１と同様のＯＬＴ２０を備え、代理設定要否判定部７１を有する制御管理装置７０を備える。代理設定要否判定部７１は、ＯＬＴ２０ａの代理設定要否判定部１０２と同様である。ＯＬＴ２０のＰＯＮ制御部１１０は、制御管理装置７０の代理設定要否判定部７１からの指示に基づいて、ＯＮＵに対してＥＯＡＭへの対応状況を問い合わせる制御フレームをＰＯＮプロトコルに基づいて生成して、光送受信器１１５経由で送信する。また、当該制御フレームの応答がＦａｉｌであるかの情報、応答がＦａｉｌでない場合の応答フレームの内容を制御管理装置７０の代理設定要否判定部７１へ通知する。制御管理装置７０の代理設定要否判定部７１は、ＯＬＴ２０からの通知に基づいて、ＯＮＵごとにＯＮＵ内に監視ポイントを設定するか、ＯＬＴ２０内にＯＮＵの替わりの代理監視ポイントを設定するかを決定し、決定結果をＯＬＴ２０に通知する。ＯＬＴ２０は、この決定結果がＯＮＵの替わりの代理監視ポイントを設定することを示す結果であった場合、ＥＯＡＭ処理部１１３にＯＮＵの代理として代理監視ポイントを設定する。一方、この決定結果がＯＮＵに監視ポイントを設定することを示す結果であった場合、ＯＮＵに対して監視ポイントを設定するよう指示する。
【産業上の利用可能性】
【００５１】
以上のように、本発明にかかる親局装置、制御装置、子局装置、光通信システムおよび障害監視方法は、ＥＯＡＭにより障害監視を行うシステムに適している。
【符号の説明】
【００５２】
１０，１１  イーサネットスイッチ、２０  ＯＬＴ、２１−１〜２１−３  ＯＮＵ、１２，１３，１４，１５，２３，２３−１〜２３−ｎ，２４，２５，２６，１００，１０１，２００，２０１  Ｉ／Ｆ、３０，３１，３２，３３，３４，３５，３６，３７，３８，３９，５１，５２，６１，６２，６４  ＭＥＰ、４０，４１，４２，４３，５０，６０，６３  ＭＩＰ、７０  制御管理装置、７１，１０２  代理設定要否判定部、１０３  監視制御Ｉ／Ｆ、１１０，２１１  ＰＯＮ制御部、１１１  ＯＮＵ状態管理部、１１２  プロトコル変換部、１１３  ＥＯＡＭ処理部、１１５，２１０  光送受信器、１１６  ＯＮＵ設定制御部。
【図１】
0005855282.tif 000002
【図２】
0005855282.tif 000003
【図３】
0005855282.tif 000004
【図４】
0005855282.tif 000005
【図５】
0005855282.tif 000006
【図６】
0005855282.tif 000007
【図７】
0005855282.tif 000008
【図８】
0005855282.tif 000009
【図９】
0005855282.tif 000010
【図１０】
0005855282.tif 000011